(57)【要約】【課題】  第２作動体をリフト部材と一体に形成し、強度を維持できるヒンジ機構を提供する。【解決手段】ケース本体ｂの他端側には第２支持軸２を介して、リフト部材ｃを回動自在に連結し、リフト部材ｃには第２作動体４を設け、リフト部材ｃが第２支持軸２を中心に回動する力を第２作動体４を介して第２スライダー６に伝達し、第２スライダー６をコイルスプリング７のばね力に抗して移動させるヒンジ機構において、リフト部材ｃは、上板ｃ１とその両側を折曲してなる両側片ｃ２と、上板ｃ１の延長基端を折り曲げた支持片４ａとを備えるとともに、支持片４ａに設けた第２作動体の作動部４ｂとこれに接触にする第２スライダーの接触面との少なくともいずれか一方に弧面を形成し、リフト部材ｃの両側片ｃ２に設けた受け止め穴１５に上記支持片に形成した差し込み凸部を差し込んで、作動部４ｂに力が作用したときの作用力を受け止め穴１５で受け止める構成にした。【選択図】  図１
2012234045.tif 000002
【特許請求の範囲】
【請求項１】
ケース本体と、このケース本体の両側に設けた一対のガイド面間に第１、第２スライダーを移動可能に対向配置し、これら第１、第２スライダー間にコイルスプリングを介在させ、原稿読み取り装置側に固定する支持部材に設けた第１支持軸にケース本体を回動自在に設け、上記第１支持軸とは反対側における上記ケース本体の上記ガイド面間に第２支持軸を設けてなり、この第２支持軸にリフト部材を回動自在に連結するとともに、このリフト部材に読み取り対象物を押さえる押さえ板を固定し、上記支持部材とリフト部材とを、上記ケース本体に対して反対方向に回動可能にする一方、上記支持部材には第１作動体を設け、支持部材が上記第１支持軸を中心に回動する力を、支持部材の第１作動体を介して上記第１スライダーに伝達し、当該第１スライダーを上記コイルスプリングのばね力に抗して移動させ、上記リフト部材には第２作動体を設け、リフト部材が上記第２支持軸を中心に回動する力を、リフト部材の第２作動体を介して上記第２スライダーに伝達し、当該第２スライダーを上記コイルスプリングのばね力に抗して移動させるヒンジ機構において、
上記リフト部材は、上板とその上板の両側を折曲してなる両側片とを備えるとともに、上記上板の延長基端を折り曲げて支持片を形成し、この支持片に上記第２作動体を構成する作動部を設け、この作動部とこの作動部に接触にする第２スライダーの接触面との少なくともいずれか一方に弧面を形成する一方、上記リフト部材の両側片に、上記作動部に力が作用したときその作用力を受け止める受け止め穴を設けるとともに、上記支持片であって上記受け止め穴に対応する位置に差し込み凸部を形成し、この差し込み凸部を受け止め穴に差し込んでなるヒンジ機構。
【請求項２】
上記差し込み凸部は上記作動部の近傍に設け、上記受け止め穴も作動部近傍に対応させた請求項１記載のヒンジ機構。
【請求項３】
上記上板の延長基端と上記作動部との間における上記両側片部間に補強部材をかけ渡し、この補強部材で支持片の変形を押さえる構成にした請求項１又は２記載のヒンジ機構。
【請求項４】
上記補強部材は上記第２支持軸で構成した請求項３記載のヒンジ機構。
【発明の詳細な説明】
【技術分野】
【０００１】
この発明は、例えばコピー機などの読み取り装置と蓋とを連結するヒンジ機構に関する。
【背景技術】
【０００２】
この種のヒンジ機構として、特許文献1に記載されたものが従来から知られている。
この従来のヒンジ機構は、例えばコピー機などに用いるもので、第１，２スライダー間にコイルスプリングを設けるとともに、支持部材とケース本体とを相対回転させたとき、支持部材に設けた第１作動体で第１スライダーをコイルスプリングのばね力に抗して移動させ、上記ケース本体に対して、コピー機の蓋を押し上げる方向のトルクを発生させるようにしている。
【０００３】
さらに、上記ケース本体にはリフト部材を設け、ケース本体に対してリフト部材を回動させたとき、このリフト部材に設けた第２作動体で第２スライダーをコイルスプリングのばね力に抗して移動させ、上記リフト部材に対してコピー機の蓋を押し上げる方向のトルクを発生させるようにしている。
【０００４】
上記のようにした第２作動体は、リフト部材の上板の延長基端を折り曲げて支持片を形成するとともに、この支持片の先端をカールしてなる。そして、上記支持片の強度を維持するために、リフト部材の両側片の先端を折り曲げ、その折曲げ部を上記支持片にあてがうようにしていた。
このようにしたヒンジ機構のメリットは、第２作動体を上記リフト部材と一体に形成できることである。
【先行技術文献】
【特許文献】
【０００５】
【特許文献１】特許３４０６５５８号公報
【発明の概要】
【発明が解決しようとする課題】
【０００６】
上記のようにした従来のヒンジ機構では、第２作動体を構成する支持片に、リフト部材を構成する両側片の先端を折り曲げてなる折曲げ部をあてがって、当該支持片に対する補強としている。しかし、この場合には、その折曲げ部の先端が自由端になっているので、上記第２作動体に大きな荷重が作用したとき、その強度を維持できないという問題があった。
この発明の目的は、第２作動体をリフト部材と一体に形成できるとともに、十分な強度を維持できるヒンジ機構を提供することである。
【課題を解決するための手段】
【０００７】
この発明は、ケース本体と、このケース本体の両側に設けた一対のガイド面間に第１、第２スライダーを移動可能に対向配置し、これら第１、第２スライダー間にコイルスプリングを介在させ、読み取り装置側に固定する支持部材に設けた第１支持軸にケース本体を回動自在に設けている。そして、上記第１支持軸とは反対側における上記ケース本体の上記ガイド面間に第２支持軸を設けてなり、この第２支持軸にリフト部材を回動自在に連結するとともに、このリフト部材に読み取り対象物を押さえる押さえ板を固定し、上記支持部材とリフト部材とを、上記ケース本体に対して反対方向に回動可能にしている。
【０００８】
また、上記支持部材には第１作動体を設け、支持部材が上記第１支持軸を中心に回動する力を、支持部材の第１作動体を介して上記第１スライダーに伝達し、当該第１スライダーを上記コイルスプリングのばね力に抗して移動させ、上記リフト部材には第２作動体を設け、リフト部材が上記第２支持軸を中心に回動する力を、リフト部材の第２作動体を介して上記第２スライダーに伝達し、当該第２スライダーを上記コイルスプリングのばね力に抗して移動させる構成にしている。
【０００９】
さらに、上記リフト部材は、上板とその上板の両側を折曲してなる両側片とを備えるとともに、上記上板の延長基端を折り曲げて支持片を形成し、この支持片に上記第２作動体を構成する作動部を設け、この作動部とこの作動部に接触にする第２スライダーの接触面との少なくともいずれか一方に弧面を形成している。
一方、上記リフト部材の両側片に上記作動部に力が作用したときその作用力を受け止める受け止め穴を設けるとともに、上記支持片であって上記受け止め穴に対応する位置に差し込み凸部を形成し、この差し込み凸部を受け止め穴に差し込んでいる。
【００１０】
第２の発明は、上記差し込み凸部は上記作動部の近傍に設け、上記受け止め穴も作動部近傍に対応させている。
【００１１】
第３の発明は、上記上板の延長基端と上記作動部との間における上記両側片部間に補強部材をかけ渡し、この補強部材で支持片の変形を押さえる構成にしている。
【００１２】
第４の発明は、上記補強部材が上記第２支持軸で構成している。
【発明の効果】
【００１３】
第１の発明によれば、上記リフト部材の両側片に、上記作動部に力が作用したときその作用力を受け止める受け止め穴を設けるとともに、上記支持片であって上記受け止め穴に対応する位置に差し込み凸部を形成し、この差し込み凸部を受け止め穴に差し込んだので、リフト部材の両側片の先端を折り曲げ、その折曲げ部を上記支持片にあてがうようにしていた従来のものに比べてその強度を十分に維持できる。
また、作動部とこの作動部に接触にする第２スライダーの接触面との少なくともいずれか一方に弧面を形成したので、相対移動する作動部と第２スライダーの接触面との接点を常に一定に保つことができる。
【００１４】
第２の発明によれば、上記差し込み凸部は上記作動部の近傍に設け、上記受け止め穴も作動部近傍に対応させたので、一番力が作用する作動部の強度を維持することができる。
第３及び第４の発明によれば、支持片を抑える補強部材を設けたので、支持片に設けた作動部に力が作用しても、支持片が曲がったりしない。
【図面の簡単な説明】
【００１５】
【図１】支持部材とケース本体との角度を６０度に保った状態の断面図である。
【図２】支持部材とケース本体との角度を６０度に保った状態の正面図である。
【図３】支持部材とケース本体との角度を９０度に保った状態の断面図である。
【図４】支持部材とケース本体との角度を９０度に保った状態の正面図である。
【図５】支持部材の斜視図である。
【図６】支持部材に設けた作動体の取り付け状態を拡大した部分断面図である。
【図７】第１スライダーの斜視図である。
【図８】全体を後方から見た斜視図である。
【図９】ケース本体とリフト部材とを開いた状態の側面図である。
【図１０】第１実施形態のケース本体とリフト部材とを開いた状態の断面図である。
【図１１】リフト部材の斜視図である。
【図１２】第２作動体の作動部の部分拡大斜視図である。
【発明を実施するための形態】
【００１６】
図示の実施形態はコピー機に用いるヒンジ機構で、このヒンジ機構は、コピー機の読み取り装置Ｘ側に固定する支持部材ａと、第１支持軸１を介して上記支持部材ａと回動自在に支持されたケース本体ｂと、第２支持軸２を介して上記ケース本体ｂと回動自在に支持されたリフト部材ｃとからなる。
【００１７】
上記支持部材ａは、図５に示すように、コピー機の読み取り装置Ｘ側に固定する平板部ａ１の両側に両側起立片ａ２，ａ２を設けるとともに、これら両側起立片ａ２，ａ２間に背側起立片ａ３を設けている。
そして、平板部ａ１には、当該支持部材ａを上記読み取り装置Ｘに固定するためのボルト穴ａ４を形成するとともに、上記両側片ａ２，ａ２には軸孔ａ５，ａ５を形成し，この軸孔ａ５，ａ５に上記第１支持軸１が支持される構成にしている。
【００１８】
また、上記軸孔ａ５，ａ５よりもやや前方下側には、第１作動体としての一対の軸部材３，３を設けるとともに、これら軸部材３，３は互いの軸中心線を一致させている。そして、図６からも明らかなように、軸部材３，３の基端にフランジ部を形成するとともに、それら軸部材３，３の先端は図５からも明らかなように間隔を保持して互いに対向させている。
【００１９】
さらに、軸孔ａ５，ａ５間に支持された第１支持軸１にはケース本体ｂが回動自在に支持されるが、このケース本体ｂはその上板ｂ１の両側に両側片ｂ２、ｂ２を形成するとともに、上記第１支持軸１はこれら両側片ｂ２，ｂ２を貫通して、上記軸孔ａ５，ａ５に支持されている。
【００２０】
また、上記両側片ｂ２，ｂ２であって、第１支持軸１で支持された側とは反対側に第２支持軸２を掛け渡しているが、図８に示すように、この第２支持軸２の両端を両側片ｂ２，ｂ２から突出させるとともに、その突出端にリフト部材ｃを回動自在に連結している。つまり、リフト部材ｃは上記ケース本体ｂを覆う形状にし、上板ｃ１の両側から垂下させた両側片ｃ２を、ケース本体ｂの両側片ｂ２の外側に沿わせるとともに、この両側片ｃ２に第２支持軸２の先端を貫通させて、このリフト部材ｃを回動自在に支持している。
【００２１】
そして、ケース本体ｂとリフト部材ｃとは、第１，２支持軸１，２を中心にして互いに反対方向に回動するものである。
なお、符号ｃ３，ｃ３は、上記両側片ｃ２，ｃ２の下側に設けた取付片で、コピー機の蓋である押さえ板Ｙに固定するものである。つまり、上記両側片ｃ２，ｃ２部分は、押さえ板Ｙ（以下「蓋Ｙ」という）に埋め込んで取付片ｃ３，ｃ３をこの蓋Ｙに固定するものである。
【００２２】
上記のようにして第２支持軸２に回動可能に支持されたリフト部材ｃの両側片ｃ２，ｃ２間には第２作動体４を設けている。すなわち、リフト部材ｃの上板ｃ１の後端からの延長部分を垂直に折り曲げてなる支持片４ａの先端に円弧状の作動部４ｂを形成し、この作動部４ｂをこの発明の第２作動体としている。
【００２３】
また、上記作動部４ｂの円弧の接線方向に平板部４ｃを形成するとともに、この平板部４ｃの両側に、図１２に示す差し込み凸部４ｄを形成している。
なお、図１２において符号４ｅはリブ部で、支持板４ａの一部を突出させることによって、補強効果を発揮させるようにしている。
【００２４】
また、上記ケース本体ｂの両側片ｂ２、ｂ２であって上記差し込み凸部４ｄに対応する位置に受け止め穴１５を形成し、この受け止め穴１５に上記差し込み凸部４ｄを差し込むようにしている。
さらに、上記支持片４ａには、第２支持軸２に接触させ、この第２支持軸２が支持片４ａに対して支えとなって、当該支持片４ａの折れ曲がりを防止している。つまり、第２支持軸２は支持片４ａに対して補強部材としても機能している。ただし、第２支持軸２とは別に補強部材を別に設けてもよいことは当然である。
【００２５】
一方、ケース本体ｂ，の両側片ｂ２、ｂ２の内側対向面であるガイド面間には、第１，２スライダー５，６を摺動自在に組み込んでいるが、これら第１，２スライダー５，６間には、圧縮時にばね力を発揮するコイルスプリング７を介在させている。
そして、上記コイルスプリング７のばね力の作用で、上記第１スライダー５は第１支持軸１に圧接し、第２スライダー６は第２作動体である作動部４ｂに圧接して、これら第１，２スライダー５，６は、第１支持軸１と第２作動体である作動部４ｂとの間に組み込まれている。
なお、上記のように作動部４ｂが第２スライダー６と接触している状態において、支持片４ａと第２スライダー６との間に所定の隙間が形成されるようにしている。このすき間は、支持片４ａ及び作動部４ｂをスムーズに回動させるために必要なものである。
【００２６】
そして、上記第１スライダー５には、図７に示すように、その前面に形成した凸部からなる挟み込み防止部材８を一体成形しているが、この挟み込み防止部材８の両側において当該挟み込み防止部材８と直角にしたカム面９，９を形成している。
また、上記第１作動体である軸部材３、３は、ケース本体ｂが支持部材ａに対して回動する過程で、第１支持軸１を中心に円弧運動をするとともに、０度〜６０度の範囲で回動する過程で上記カム面９，９を押して、コイルスプリング７を撓ませながら第１スライダー５を押し、第１スライダー５を第１支持軸１から離間させる。
【００２７】
なお、支持部材ａとケース本体ｂとの角度が設定角度以下の範囲、例えばこの実施形態では６０度以下の範囲にあるとき、軸部材３，３がカム面９，９に接触する構成にし、６０度以上９０度の範囲では、第１作動体である軸部材３，３はカム面９，９から離なれた状態を保つ構成にしている。
そして、ケース本体ｂが支持部材ａに対して９０度の位置を保っているときには、ケース本体ｂの上板ｂ１の後端が支持部材ａの背側起立片ａ３に当たって、９０度以上回動しないようにしている（図３参照）。
【００２８】
また、上記のように第１スライダー５がコイルスプリング７に抗して移動することによってコイルスプリング７を撓ませるが、そのときのコイルスプリング７のばね力が、蓋Ｙを押し上げる力、すなわち蓋Ｙを開く方向のトルクとして作用する。したがって、例えばコピー機において、蓋Ｙが閉まった状態からそれを開けるときには、コイルスプリング７のばね力が蓋Ｙを開ける力に対してアシスト力となる。
反対に、開けた状態の蓋Ｙを閉めるときには、コイルスプリング７のばね力が、蓋Ｙの急激な落下を防止するための減衰力として作用する。
【００２９】
一方、カム面９，９に第１作動体である軸部材３，３を圧接させた状態において、上記挟み込み防止部材８が軸部材３，３の対向部間に突出する構成にしている。そして、ケース本体ｂと支持部材ａとの回動方向における上記挟み込み防止部材８の長さは、ケース本体ｂと支持部材ａとが回動する過程で軸部材３，３が接触する第１スライダー５の接触範囲とほぼ等しいか、あるいはそれ以上の長さを保持している。したがって、軸部材３，３と第１スライダー５との相対位置が変化する状況の中で、挟み込み防止部材８は軸部材３，３間に必ず位置することになる。
【００３０】
このように第１スライダー５に設けた挟み込み防止部材８が第１作動体である軸部材３，３間に突出しているので、例えば、読み取り対象物であるコピーの原稿が軸部材３，３と第１スライダー５との間に入り込もうとしても、上記挟み込み防止部材８が邪魔になって入り込むことができない。このことは人の指に対しても同じことが言える。
なお、第１実施形態におけるこの発明の接触部とは、上記軸部材３，３と第１スライダー５とが接触する軸方向の接触部を指し、非接触部とは軸部材３，３の対向部間を指している。
【００３１】
第２支持軸２に回動自在に支持されたリフト部材ｃは、例えば厚い本の所定のページをコピーするときに、ケース本体ｂとは反対方向に回動させるものである。
つまり、厚い本をコピーするために、その本を読み取り装置Ｘに置くとともに、この状態で蓋Ｙを閉じる方向に回動すると、蓋Ｙが上記本に当たるまでは、ケース本体ｂとリフト部材ｃとが一体になって、第１支持軸１を中心に回動する。
【００３２】
そして、蓋Ｙが上記本に当たると、ケース本体ｂはその回動をとめられて、その位置で停止するが、このようにケース本体ｂが停止した状態でさらに蓋Ｙを回動すると、今度は、リフト部材ｃのみが第２支持軸２を中心に回動し、図９に示すように、支持部材ａとリフト部材ｃとが、本の厚さ分の間隔を保って平行になる。
【００３３】
次に、ケース本体ｂとリフト部材ｃとが反対方向に回動するときのコイルスプリング７の撓み具合を詳しく説明する。
ケース本体ｂとリフト部材ｃとが、第１支持軸１を中心に一体的に回動しているときには、第１作動体である軸部材３，３が第１スライダー５を押すが、このときには第２スライダー６が第２作動体４の作動部４ｂに当たってその移動が阻止された状態にある。そのために、第１作動体である軸部材３，３で第１スライダー５を押せば、第１スライダー５のみが移動してコイルスプリング７を撓ませることになる。
【００３４】
また、リフト部材ｃが回動するときには、その前に第１スライダー５が移動してコイルスプリング７を撓ませた状態にしている。
そして、ケース本体ｂの回動が停止した状態、すなわちコイルスプリング７が撓んだ状態で、リフト部材ｃが第２支持軸２を中心に回動すると、第２作動体４である作動部４ｂが、第２支持軸２を中心に円弧運動をするとともに、その過程で第２スライダー６を押して、コイルスプリング７をさらに撓ませる。
【００３５】
したがって、リフト部材ｃが回動したときには、ケース本体ｂとリフト部材ｃとが一体に回動したときよりも、コイルスプリング７の撓み量が大きくなる。
なお、上記作動部４ｂを円弧状にし、第２スライダー６との接触部を弧面にしたので、相対移動する作動部４ｂと第２スライダー６の接触面との接点を常に一定に保つことができる。ただし、上記弧面は、作動部４ｂとこの作動部４ｂに接触にする第２スライダー６の接触面との少なくともいずれか一方に形成されていればよいものである。
【００３６】
一方、上記第１スライダー５にはばね受け１０を設けるとともに、このばね受け１０には調整ボルト１１の先端を回転自在にはめ合わせている。このようにした調整ボルト１１は、第１スライダー５及び挟み込み防止部材８に形成したねじ孔１２を介して、挟み込み防止部材８の外方に突出させている。
この調整ボルト１１をねじ孔１２に対して回転すれば、調整ボルト１１がねじ孔１２に対して軸方向に移動するとともに、上記ばね受け１０を移動してコイルスプリング７を撓ませ、コイルスプリング７の荷重を調整できる。
【００３７】
そして、図１は、支持部材ａに対するケース本体ｂ及びリフト部材ｃの開度すなわち蓋Ｙの開度がほぼ６０度に保たれた状態を示している。また、図３は、支持部材ａに対するケース本体ｂ及びリフト部材ｃの開度すなわち蓋Ｙの開度がほぼ９０度に保たれている。
【００３８】
上記蓋Ｙが６０度の位置にあるとき、第１，２スライダー５，６が初期位置を保持して、コイルスプリング７は最伸張状態を維持し、そのばね力が最小になる。また、上記６０度から９０度の範囲では、第１作動体である軸部材３，３が第１スライダー５のカム面９，９から離れる構成にしている。したがって、この状態すなわち６０度から９０度の範囲では、コイルスプリング７のばね力による蓋Ｙを開けようとするトルクがゼロになり、６０度から９０度の範囲では、蓋Ｙはコイルスプリング７のばね力が作用しないフリー回動範囲にあることになる。
【００３９】
なお、コイルスプリング７のばね力が作用しない６０度〜９０度の範囲は、原稿をコピーする作業のときにはほとんど使用しない。しかし、コピー機の修理時などでは蓋Ｙを大きくあける必要があり、このときには蓋Ｙを９０度まで開けることがある。
【００４０】
そして、蓋Ｙを６０度の開度に保った図１の状態から、それを閉じる方向に回動すると、そのときの状態を相対的に表現すれば、第１作動体である軸部材３，３が第１スライダー５を押して、この第１スライダー５をコイルスプリング７に抗して移動させる。なお、このときには、第２スライダー６は第２作動体４の作動部４ｂに押し付けられてそれ以上後退しないので、上記のように第１スライダー５が移動すれば、コイルスプリング７が撓んでばね力を発揮する。
また、第１スライダー５がコイルスプリング７に抗して移動すれば、第１支持軸１と第１作動体である軸部材３，３とが第１スライダー５に対してトルクを発揮するためのアーム長さが徐々に短くなる。
【００４１】
したがって、コイルスプリング７のばね力と上記トルクを発揮するアーム長さとの相対的な関係の中で、蓋Ｙを開ける方向のトルクが変化していくが、そのトルクは、蓋Ｙの開度が６０度のときに最小で、蓋Ｙを閉じていくにしたがって、当該トルクが大きくなるとともに、上記開度が１０〜１５度前後でそのトルクが最大になるように設定されている。
なお、上記トルクは、蓋Ｙが自らの重さで、急激に閉まらないようにするための減衰力として作用する。
【００４２】
そして、上記１０〜１５度よりも開度が小さくなると、コイルスプリング７の撓み量が大きくなるが、上記したようにトルクを発揮するアーム長さが短くなることと、蓋Ｙの重さによって決まる閉じ方向のモーメントが総体的に作用して、蓋Ｙを開ける方向の力が急激に弱くなり、蓋Ｙが完全に閉まった状態である開度ゼロのときには、コイルスプリング７の撓み量が最大になるが、第１スライダー５にトルクを作用させるための支持軸１と軸部材３，３との上記アーム長さが最小になって、蓋Ｙを開けようとするトルクは最小になる。
このように蓋を開けようとするトルクが最小の状態では、蓋Ｙが閉じた状態を維持するとともに、蓋Ｙの自重で原稿を押さえつけることになる。
【００４３】
いずれにしても、蓋Ｙが開閉する過程で、第１スライダー５と一体にした挟み込み防止部材８が、第１作動体である軸部材３，３間に位置しているので、この挟み込み防止部材８で軸部材３，３と第１スライダー５との間に原稿が入り込もうとしても、挟み込み防止部材８が邪魔してその進入を阻止する。このように挟み込み防止部材８によって原稿などの進入が阻止されるので、上記軸部材３，３とカム面９，９とが接触する箇所にグリスを塗っていても、上記原稿がグリスによって汚されたりしないし、指などの挟み込みも防止できる。
【００４４】
上記のようにした実施形態によれば、第２作動体４の作動部４ｂに対応する位置、すなわち平板部４ｃに差し込み凸部４ｄを形成し、作動部４ｂの両端を一体的に支持したので、従来のように先端が自由端になっている折り曲げ部で補強する場合に比べて、その強度が大きくなる。
また、上記第２支持軸２が補強部材としても機能するので、第２作動体の強度がさらに大きくなる。
【産業上の利用可能性】
【００４５】
コピー機の読み取り装置と蓋とを連結するヒンジ機構として最適である。
【符号の説明】
【００４６】
ａ    支持部材
ｂ    ケース本体
ｂ１  上板
Ｘ    読み取り装置
Ｙ    押さえ板（蓋）
１    第１支持軸
２    第２支持軸
３    第１作動体である軸部材
４ａ  支持片
４ｂ  第２作動体としての作動部
４ｄ  差し込み凸部
５    第１スライダー
６    第２スライダー
７    コイルスプリング
１５    受け止め穴
【図１】
2012234045.tif 000003
【図２】
2012234045.tif 000004
【図３】
2012234045.tif 000005
【図４】
2012234045.tif 000006
【図５】
2012234045.tif 000007
【図６】
2012234045.tif 000008
【図７】
2012234045.tif 000009
【図８】
2012234045.tif 000010
【図９】
2012234045.tif 000011
【図１０】
2012234045.tif 000012
【図１１】
2012234045.tif 000013
【図１２】
2012234045.tif 000014